(57)【要約】【課題】加入者を識別するロック機能のロックを解除する解除データが誤入力の場合に、不正な解除と正規な解除の両方を考慮した対策を実現できるようにすることである。【解決手段】計数手段１０１は、加入者識別モジュールを基に接続可能な通信網を制限するロック機能のロックを解除するために入力された解除データと、予め登録されている正規な解除データとの不一致を検出する毎にその不一致回数を誤入力回数として計数する。誤入力回数が誤入力許容回数設定値に達する前に、正規な解除データが入力された場合、解除手段１０はロックを解除する。誤入力回数が誤入力許容回数設定値に達した場合、変更手段１０３はロック機能のロックを継続したままの状態において新たな解除データを生成して、登録されている正規な解除データを新たな解除データに変更する。通知手段１０４は、通信事業者側の管理装置を宛先として、解除データを更新すべきこと通知する。【選択図】  図８
2013162408.tif 000002
【特許請求の範囲】
【請求項１】
加入者識別モジュールを基に接続可能な通信網を制限するロック機能を備えた携帯端末通信装置であって、
前記ロック機能のロックを解除するために入力された解除データと、予め登録されている正規な解除データとの不一致を検出する毎にその不一致回数を誤入力回数として計数する計数手段と、
前記誤入力回数が誤入力許容回数設定値に達する前に、前記正規な解除データが入力されたことを条件に前記ロック機能のロックを解除する解除手段と、
前記誤入力回数が誤入力許容回数設定値に達した場合に、前記ロック機能のロックを継続したままの状態において新たな解除データを生成して、前記登録されている正規な解除データを前記新たな解除データに変更する変更手段と、
前記変更手段により解除データが変更された場合に、携帯端末通信装置毎にそのロック機能のロックを解除する解除データを記憶管理する通信事業者側の管理装置を宛先として、当該変更前の解除データを変更後の解除データに更新すべきことを通知する通知手段と、
を備えたことを特徴とする携帯端末通信装置。
【請求項２】
前記通信網を使用する通信手段とは異なる通信手段であって、当該携帯端末通信装置の通信事業者の店舗側端末装置に通信接続が可能な他の通信手段を更に備え、
前記通知手段は、前記変更手段により解除データが変更された場合に、前記他の通信手段を使用して前記店舗側端末装置に通信接続することで該店舗側端末装置を経由して前記通信事業者の管理装置に当該変更前の解除データを変更後の解除データに更新すべきことを通知する、
ようにしたことを特徴とする請求項１に記載の携帯端末通信装置。
【請求項３】
前記所定の誤入力許容回数設定値を任意に設定する設定手段を更に備える、
ようにしたことを特徴とする請求項１あるいは請求項２に記載の携帯端末通信装置。
【請求項４】
加入者識別モジュールを基に接続可能な通信網を制限するロック機能のロックを解除するために入力された解除データと、予め登録されている正規な解除データとの不一致を検出する毎にその不一致回数を誤入力回数として計数する計数ステップと、
前記誤入力回数が誤入力許容回数設定値に達する前に、前記正規な解除データが入力されたことを条件に前記ロック機能のロックを解除する解除ステップと、
前記誤入力回数が誤入力許容回数設定値に達した場合に、前記ロック機能のロックを継続したままの状態において新たな解除データを生成して、前記登録されている正規な解除データを前記新たな解除データに変更する変更ステップと、
前記解除データが変更された場合に、携帯端末通信装置毎にそのロック機能のロックを解除する解除データを記憶管理する通信事業者側の管理装置を宛先として、当該変更前の解除データを変更後の解除データに更新すべきことを通知する通知ステップと、
を含むことを特徴とする端末通信方法。
【請求項５】
コンピュータに対して、
加入者識別モジュールを基に接続可能な通信網を制限するロック機能のロックを解除するために入力された解除データと、予め登録されている正規な解除データとの不一致を検出する毎にその不一致回数を誤入力回数として計数する計数機能と、
前記誤入力回数が誤入力許容回数設定値に達する前に、前記正規な解除データが入力されたことを条件に前記ロック機能のロックロック機能のロックを解除する解除機能と、
前記誤入力回数が誤入力許容回数設定値に達した場合に、前記ロック機能のロックを継続したままの状態において新たな解除データを生成して、前記登録されている正規な解除データを前記新たな解除データに変更する変更機能と、
前記解除データが変更された場合に、携帯端末通信装置毎にそのロック機能のロックを解除する解除データを記憶管理する通信事業者側の管理装置を宛先として、当該変更前の解除データを変更後の解除データに更新すべきことを通知する通知機能と、
を実現させるためのプログラム。
【請求項６】
加入者識別モジュールを基に接続可能な通信網を制限するロック機能を備えた携帯端末通信装置と、前記携帯端末通信装置毎に前記ロック機能のロックを解除するための解除データを記憶管理する通信事業者側の管理装置を備えた端末通信システムであって、
前記携帯端末通信装置は、
前記ロック機能のロックを解除するために入力された解除データと、予め登録されている正規な解除データとの不一致を検出する毎にその不一致回数を誤入力回数として計数する計数手段と、
前記誤入力回数が誤入力許容回数設定値に達する前に、前記正規な解除データが入力されたことを条件に前記ロック機能のロックを解除する解除手段と、
前記誤入力回数が誤入力許容回数設定値に達した場合に、前記ロック機能のロックを継続したままの状態において新たな解除データを生成して、前記登録されている正規な解除データを前記新たな解除データに変更する変更手段と、
前記変更手段により解除データが変更された場合に、携帯端末通信装置毎にそのロック機能のロックを解除する解除データを記憶管理する前記管理装置を宛先として、当該変更前の解除データを変更後の解除データに更新すべきことを通知する通知手段と、
を備え、
前記管理装置は、
前記通知手段による解除データ変更通知に応答して、前記変更前の解除データを変更後の解除データに更新する更新手段と、
前記更新手段により更新した更新後の解除データを返信する返信手段と、
を備える、
ようにしたことを特徴とする端末通信システム。
【請求項７】
前記携帯端末通信装置は、
前記通信網を使用する通信手段とは異なる通信手段であって、当該携帯端末通信装置の通信事業者の店舗側端末装置に通信接続が可能な他の通信手段を更に備え、
前記通知手段は、前記変更手段により解除データが変更された場合に、前記他の通信手段を使用して前記店舗側端末装置に通信接続することで該店舗側端末装置を経由して前記通信事業者の管理装置に当該変更前の解除データを変更後の解除データに更新すべきことを通知し、
前記管理装置は、
前記携帯端末通信装置からその解除データ変更通知を、前記店舗側端末装置を経由して受信した場合に、前記更新手段は、その通知内容に応じて該当する解除データの更新を行い、
前記返信手段は、前記更新後の解除データを前記店舗側端末装置に対して返信する、
ようにしたことを特徴とする請求項６に記載の端末通信システム。
【請求項８】
前記携帯端末通信装置は、
前記所定の誤入力許容回数設定値を任意に設定する設定手段を更に備える、
ようにしたことを特徴とする請求項６あるいは請求項７に記載の端末通信システム。
【発明の詳細な説明】
【技術分野】
【０００１】
本発明は、加入者識別モジュールに応じて接続可能な通信網を制限するロック機能を備えた携帯端末通信装置、端末通信方法、端末通信システム及びプログラムに関する。
【背景技術】
【０００２】
一般に、携帯電話機などの携帯端末通信装置を製造している通信端末メーカにおいては、その携帯端末通信装置に他の通信事業者のＵＳＩＭ（Universal Subscriber Identity Module:汎用加入者識別モジュール）の使用ができないようにするために接続可能な通信網を制限するＵＳＩＭロックを施して通信事業者に納入するようにしている。このように加入者の携帯端末通信装置に対してその事業者側の通信網のみに接続可能とする制限を加えるロック機能を付加することにより携帯端末通信装置を低廉な価格で提供可能としているが、第三者の操作によってＵＳＩＭロックが不正に解除されてしまうと、上述の料金体系が崩れてしまう。
【０００３】
このようなＵＳＩＭロックの不正解除に対する防止策として従来では、例えば、移動体通信システムとして、ＵＳＩＭロックの解除が許可されていない携帯端末通信装置からそのロックの解除要求を受けた場合に、その端末識別情報を登録しておくことによって次回からそのロック解除要求を拒否したり、不正な解除要求を行った携帯端末通信装置の識別情報を取得して、その通信事業者側に通知したりするようにした技術が開示されている（特許文献１参照）。
【先行技術文献】
【特許文献】
【０００４】
【特許文献１】特開２００６−２６１９１８号公報
【発明の概要】
【発明が解決しようとする課題】
【０００５】
しかしながら、上述した特許文献にあっては、ロック解除が不正であるか否かを判別する技術であり、不正なロック解除の要求が行われた場合に限ってその対策を講じるものであった。
【０００６】
ところで、近年、ＵＳＩＭロックの解除が可能な携帯端末通信装置の発売が実施され、利用者が望めばＵＳＩＭロックを正規な手続きとして解除するサービスが実施されている。このＵＳＩＭロックを解除する仕組みについては、各端末メーカにより様々な方式が考案されて実現されているが、複数の通信事業者に対して携帯端末通信装置を発売するマルチベンダー方式を採用している端末メーカでは、特別なロック解除用の外部機器を必要とせずに、通信端末装置自体でＵＳＩＭロックの解除を可能する方式が多く採用されている。
【０００７】
この場合におけるＵＳＩＭロック解除の実現には、いくつか方法が考えられているが、その一つとして、特定の契機でＵＳＩＭロック解除専用のユーザーインターフェース（解除コード入力画面）を表示させた状態において、その入力画面に通信端末装置に対応したＵＳＩＭロック解除コードが入力されることによりＵＳＩＭロックを解除する方法がある。この場合、端末メーカにおいては、端末製造時に各通信端末装置に設定したＵＳＩＭロック解除コードの一覧を作成して通信事業者側に納入しておき、通信事業者側ではＵＳＩＭロック解除サービスを提供する際に、その通信端末装置のＵＳＩＭロック解除コードを使用してＵＳＩＭロックの解除を実施するようにしている。
【０００８】
このＵＳＩＭロックの解除コードは、通信端末装置の内部に保有（記憶）されており、移動機識別番号（International Mobile Equipment Identity）などと紐付けされている。この移動機識別番号を基にＵＳＩＭロック解除コードを生成するようにする方法もあるが、そのような方法では、解除コードの生成アルゴリズムの流出によって移動機識別番号が第三者に判明されてしまうと、その解除コードが推定される可能が高くなってしまうために、解除コードを独自に生成する生成方法の方がセキュリティ面で優れたものとなる。また、ＵＳＩＭロックの解除コードの長さは、例えば、最大１６桁構成で、有限の組み合わせとなるために、第三者による総当りによる試行でＵＳＩＭロックが解除されてしまうという可能性もあった。
【０００９】
この総当り試行によるＵＳＩＭロックの不正解除を防止するためには、解除コードを入力する操作回数を制限する設定も可能ではあるが、入力回数の上限を低く設定してしまうと、正規な手続きによる解除操作であっても、操作ミスにより入力回数がその入力上限値に達する毎に通信機能が使用できなくなるなどの規制がかかるケースが多くなる。逆に、入力上限値の上限を高く設定してしまうと、不正な操作による解除の危険性が高くなる。つまり、端末メーカでは通信端末装置にＵＳＩＭロック解除の仕組みを実装する場合、不正なロック解除に対しては、それを厳重に防止する仕組が必要であり、正規な手続きによる解除操作時の誤入力に対しては、通信不能などの規制を緩和する必要がある。
【００１０】
本発明の課題は、加入者識別モジュールを基に接続可能な通信網を制限するロック機能のロックを解除する解除データの誤入力が生じた場合に、不正なロック解除に対しては、それを厳重に防止し、正規な手続きによる解除に対しては、通信不能などの規制を緩和できるようにすることである。
【課題を解決するための手段】
【００１１】
上述した課題を解決するために本発明の携帯端末通信装置は、
加入者識別モジュールを基に接続可能な通信網を制限するロック機能を備えた携帯端末通信装置であって、
前記ロック機能のロックを解除するために入力された解除データと、予め登録されている正規な解除データとの不一致を検出する毎にその不一致回数を誤入力回数として計数する計数手段と、
前記誤入力回数が誤入力許容回数設定値に達する前に、前記正規な解除データが入力されたことを条件に前記ロック機能のロックを解除する解除手段と、
前記誤入力回数が誤入力許容回数設定値に達した場合に、前記ロック機能のロックを継続したままの状態において新たな解除データを生成して、前記登録されている正規な解除データを前記新たな解除データに変更する変更手段と、
前記変更手段により解除データが変更された場合に、携帯端末通信装置毎にそのロック機能のロックを解除する解除データを記憶管理する通信事業者側の管理装置を宛先として、当該変更前の解除データを変更後の解除データに更新すべきことを通知する通知手段と、
を備えたことを特徴とする携帯端末通信装置である。
【００１２】
上述した課題を解決するために本発明の端末通信方法は、
加入者識別モジュールを基に接続可能な通信網を制限するロック機能のロックを解除するために入力された解除データと、予め登録されている正規な解除データとの不一致を検出する毎にその不一致回数を誤入力回数として計数する計数ステップと、
前記誤入力回数が誤入力許容回数設定値に達する前に、前記正規な解除データが入力されたことを条件に前記ロック機能のロックを解除する解除ステップと、
前記誤入力回数が誤入力許容回数設定値に達した場合に、前記ロック機能のロックを継続したままの状態において新たな解除データを生成して、前記登録されている正規な解除データを前記新たな解除データに変更する変更ステップと、
前記解除データが変更された場合に、携帯端末通信装置毎にそのロック機能のロックを解除する解除データを記憶管理する通信事業者側の管理装置を宛先として、当該変更前の解除データを変更後の解除データに更新すべきことを通知する通知ステップと、
を含むことを特徴とする端末通信方法である。
【００１３】
上述した課題を解決するために本発明のプログラムは、
コンピュータに対して、
加入者識別モジュールを基に接続可能な通信網を制限するロック機能のロックを解除するために入力された解除データと、予め登録されている正規な解除データとの不一致を検出する毎にその不一致回数を誤入力回数として計数する計数機能と、
前記誤入力回数が誤入力許容回数設定値に達する前に、前記正規な解除データが入力されたことを条件に前記ロック機能のロックを解除する解除機能と、
前記誤入力回数が誤入力許容回数設定値に達した場合に、前記ロック機能のロックを継続したままの状態において新たな解除データを生成して、前記登録されている正規な解除データを前記新たな解除データに変更する変更機能と、
前記解除データが変更された場合に、携帯端末通信装置毎にそのロック機能のロックを解除する解除データを記憶管理する通信事業者側の管理装置を宛先として、当該変更前の解除データを変更後の解除データに更新すべきことを通知する通知機能と、
を実現させるためのプログラム。
【００１４】
更に、上述した課題を解決するために本発明の端末通信システムは、
加入者識別モジュールを基に接続可能な通信網を制限するロック機能を備えた携帯端末通信装置と、前記携帯端末通信装置毎に前記ロック機能のロックを解除するための解除データを記憶管理する通信事業者側の管理装置を備えた端末通信システムであって、
前記携帯端末通信装置は、
前記ロック機能のロックを解除するために入力された解除データと、予め登録されている正規な解除データとの不一致を検出する毎にその不一致回数を誤入力回数として計数する計数手段と、
前記誤入力回数が誤入力許容回数設定値に達する前に、前記正規な解除データが入力されたことを条件に前記ロック機能のロックを解除する解除手段と、
前記誤入力回数が誤入力許容回数設定値に達した場合に、前記ロック機能のロックを継続したままの状態において新たな解除データを生成して、前記登録されている正規な解除データを前記新たな解除データに変更する変更手段と、
前記変更手段により解除データが変更された場合に、携帯端末通信装置毎にそのロック機能のロックを解除する解除データを記憶管理する前記管理装置を宛先として、当該変更前の解除データを変更後の解除データに更新すべきことを通知する通知手段と、
を備え、
前記管理装置は、
前記通知手段による解除データ変更通知に応答して、前記変更前の解除データを変更後の解除データに更新する更新手段と、
前記更新手段により更新した更新後の解除データを返信する返信手段と、
を備える、
ようにしたことを特徴とする端末通信システムである。
【発明の効果】
【００１５】
本発明によれば、加入者識別モジュールを基に接続可能な通信網を制限するロック機能
のロックを解除する解除データの誤入力が生じた場合に、不正なロック解除に対しては、それを厳重に防止し、正規な手続きによる解除に対しては、通信不能などの規制を緩和し、不正な解除と正規な解除の両方を考慮した対策を実現することが可能となる。
【図面の簡単な説明】
【００１６】
【図１】端末通信システムの全体構成の概要を示したブロック図。
【図２】携帯端末通信装置１の基本的な構成要素を示したブロック図。
【図３】リスト管理装置２の基本的な構成要素を示したブロック図。
【図４】ショップ端末装置５の基本的な構成要素を示したブロック図。
【図５】ＵＳＩＭロックの解除開始を指示する操作が行われた際に実行開始される携帯端末通信装置１の動作（ＵＳＩＭロック解除処理）を示したフローチャート。
【図６】ショップ端末装置５の特徴的な動作を示したフローチャート。
【図７】リスト管理装置２の特徴的な動作を示したフローチャート。
【図８】本発明の機能（付記１に記載の発明）を説明するための機能ブロック図。
【発明を実施するための形態】
【００１７】
以下、本発明の実施の形態について、図１〜図７を参照して説明する。
図１は、端末通信システムの全体構成の概要を示したブロック図である。
端末通信システムは、加入者識別モジュール（ＵＳＩＭ）を基に接続可能な広域通信網を制限するロック機能（ＵＳＩＭロック機能）を備えた携帯端末通信装置１と、この携帯端末通信装置１毎にそのロック機能のロックを解除するための解除コード（解除データ）のリストを記憶管理する通信事業者側のリスト管理装置（サーバ装置）２とを備えた端末通信システムである。
【００１８】
携帯端末通信装置１のメーカでは、その携帯端末通信装置１に他の通信事業者のＵＳＩＭ（汎用加入者識別モジュール）が使用できないようにデフォルトとしてＵＳＩＭロックを施して通信事業者側に納入するようにしているが、ＵＳＩＭロックを正規な手続きとして解除する通信事業者側での解除サービスを可能とするために、ＵＳＩＭロックを解除する仕組みとしてその解除コード（解除データ）を携帯端末通信装置１の内部メモリに記憶するようにしている。
【００１９】
携帯端末通信装置１は、広域通信手段、つまり公衆通信手段として通話機能、電子メール機能、インターネット接続機能（Ｗｅｂアクセス機能）を備えたもので、例えば、スマートフォンと呼ばれる多機能型携帯電話機であり、特定の加入者識別モジュールを用いて広域通信網（公衆通信網）としての無線通信網３、インターネット４に接続可能となっている。すなわち、携帯端末通信装置１は、最寄りの基地局３Ａ、交換機３Ｂを介して無線通信網（移動体通信網）３に接続されると、この無線通信網３を介して他の携帯電話機（図示省略）との間で高速大容量の通信が可能な状態となる。また、携帯端末通信装置１は、無線通信網３を介してインターネット４に接続されると、Ｗｅｂサイトをアクセスして閲覧可能な状態となる。また、広域通信手段（公衆通信手段）とは異なる別の通信手段として、無線ＬＡＮ（Local Area Network）通信機能、近距離通信機能が備えられている。
【００２０】
通信事業者側のリスト管理装置（サーバ装置）２は、携帯端末通信装置１の個々に対応してそのＵＳＩＭロック解除用の解除コードリストＲＣＬを記憶管理するもので、各地に存在している事業者側のショップ端末装置５にインターネット４を介して接続されている。そして、リスト管理装置２は、例えば、ショップ端末装置５側からリスト送信要求などを受けた際に、その要求元のショップ端末装置５に対して解除コードリストＲＣＬを送信するようにしている。この解除コードリストＲＣＬは、「移動機識別番号」に対応付けて「解除コード」を記憶する構成となっている。
【００２１】
無線ＬＡＮ６は、ショップ側に構築された無線通信網で、携帯端末通信装置１は、ＵＳＩＭロックにより広域通信手段（公衆通信手段）が使用不可の場合に、他の通信手段である無線ＬＡＮ通信機能を使用してショップ端末装置５に通信接続し、ショップ端末装置５を経由して通信事業者側のリスト管理装置２に通信接続可能となっている。また、無線ＬＡＮ３が使用不可の場合、携帯端末通信装置１は、他の通信機能である近距離通信機能を使用して、ショップ端末装置５に通信接続し、ショップ端末装置５を経由して通信事業者側のリスト管理装置２に通信接続可能となっている。
【００２２】
図２は、携帯端末通信装置１の基本的な構成要素を示したブロック図である。
中央制御部１１は、二次電池を備えた電源部１２からの電力供給によって動作し、記憶部１３内の各種のプログラムに応じてこの携帯端末通信装置１の全体動作を制御する中央演算処理装置やメモリ（図示省略）などを有している。この記憶部１３には、プログラム記憶部Ｍ１、各種情報一時記憶部Ｍ２のほか、後述するＵＳＩＭロック解除コード記憶部Ｍ３、誤入力許容回数設定値記憶部Ｍ４などが設けられている。
【００２３】
プログラム記憶部Ｍ１は、図５に示した動作手順に応じて本実施形態を実現するためのプログラムや各種のアプリケーションなどが格納されているほか、それに必要とする情報などが記憶されている。なお、記憶部１３は、例えば、ＳＤカード、ＩＣカードなど、着脱自在な可搬型メモリ（記録メディア）を含む構成であってもよく、また、その一部が図示しない所定の外部サーバの領域を含むものであってもよい。各種情報一時記憶部Ｍ２は、フラグ情報、画面情報など、携帯端末通信装置１が動作するために必要な各種の情報を一時的に記憶するワーク領域である。
【００２４】
無線通信部１４は、通話機能、電子メール機能、インターネット接続機能などの動作時に、最寄りの基地局３Ａとの間でデータの送受信を行う広域通信手段（公衆通信手段）であり、ＵＳＩＭロックが施されている状態において、他の通信事業者のＵＳＩＭが装着されたとしても、この無線通信部１４の使用を制限するためにＵＳＩＭロックの状態となる。無線通信部１４は、通話機能の動作時にベースバンド部の受信側から信号を取り込んで受信ベースバンド信号に復調して中央制御部１１に対して出力すると、中央制御部１１は、音声信号処理部１５を介して通話用スピーカＳＰから音声出力させ、また、通話用マイクＭＣからの入力音声データを音声信号処理部１５から取り込み、送信ベースバンド信号に符号化した後、ベースバンド部の送信側に与えてアンテナから発信出力させる。
【００２５】
タッチ入力表示部１６は、表示パネルとタッチパネル（それぞれ図示省略）を有する構成で、高精細な表示パネルの前面にタッチパネルを配置することによりソフトウェアキー（タッチキー）を割り当て配置してその機能名を表示したり、入力画面などを表示したり、指などによるタッチ操作を感知してそのタッチ操作に応じたデータを入力したりするデバイスである。操作部１７は、押しボタン式の各種キー（例えば、電源キーなど）を有する構成となっている。無線ＬＡＮ通信部１８は、ショップ側に構築されている無線ＬＡＮ６を介してショップ端末装置５との間でデータ通信を行う。近距離通信部１９は、赤外線通信やBluetooth（登録商標）通信などの近距離通信方式にしたがってショップ端末装置５との間でデータ通信を行う。
【００２６】
ＵＳＩＭロック解除コード記憶部Ｍ３は、ＵＳＩＭロックを正規な手続きとして解除するために設定されたＵＳＩＭロック解除コード（例えば、最大１６桁構成のコード）を記憶管理するもので、中央制御部１１は、ＵＳＩＭロックを解除する操作が行われた際に、タッチ入力表示部１６から入力された解除データとＵＳＩＭロック解除コード記憶部Ｍ３内に予め登録されている正規な解除データとを比較して、それらの一致を検出した際にＵＳＩＭロックを解除するようにしている。一方、中央制御部１１は、入力された解除データと正規な解除データとの不一致を検出する毎に、その不一致回数を誤入力回数として計数し、その誤入力回数が所定の誤入力許容回数設定値に達したか否かを判別するようにしている。
【００２７】
誤入力許容回数設定値記憶部Ｍ４は、この場合の誤入力許容回数設定値を記憶するもので、その誤入力許容回数設定値は予めユーザ操作により任意に変更して設定可能となっている。中央制御部１１は、計数した誤入力回数が誤入力許容回数設定値に達した際に、ＵＳＩＭのロックを継続したままの状態でＵＳＩＭロック解除コード記憶部Ｍ３内の解除データを変更するようにしている。
【００２８】
すなわち、新たなＵＳＩＭロック解除コードを生成してＵＳＩＭロック解除コード記憶部Ｍ３内に上書きすることによりＵＳＩＭロック解除コードを変更するようにしている。この場合、例えば、ランダム生成などのような独自の方法で、新たなＵＳＩＭロック解除コードを生成する。このようにしてロック解除コードを変更すると、中央制御部１１は、無線通信網３を介してリスト管理装置２をアクセスして、解除コードリストＲＣＬの内容を自己の新たな解除コードに更新すべきことを指示するようにしている。
【００２９】
図３は、リスト管理装置２の基本的な構成要素を示したブロック図である。
リスト管理装置２の中核をなす中央制御部２１は、無停電電源装置（図示省略）を含む電源部２２からの電力供給によって動作し、記憶部２３内の各種のプログラムに応じてこのリスト管理装置２の全体動作を制御する中央演算処理装置である。記憶部２３は、各種のプログラムや情報を記憶するもので、図７に示した動作手順に応じて本実施形態を実現するためのプログラムや各種のアプリケーションなどが格納されている。
【００３０】
主制御部２１には、その入出力周辺デバイスである広域通信部２４、表示部２５、操作部２６などが接続されており、入出力プログラムにしたがって主制御部２１はそれらの動作を制御する。広域通信部２４は、多数同時アクセスが可能なもので、ブロードバンドのインターネットに接続（例えば、光通信接続）され、携帯端末通信装置１との間、通信事業者側のショップ端末装置５との間でデータの送受信を行う。
【００３１】
図４は、ショップ端末装置５の基本的な構成要素を示したブロック図である。
ショップ端末装置５の中核をなす中央制御部５１は、電源部５２からの電力供給によって動作し、記憶部５３内の各種のプログラムに応じてこのショップ端末装置５の全体動作を制御する中央演算処理装置である。記憶部５３は、各種のプログラムや情報を記憶するもので、図６に示した動作手順に応じて本実施形態を実現するためのプログラムや各種のアプリケーションなどが格納されている。
【００３２】
主制御部５１には、その入出力周辺デバイスである広域通信部５４、表示部５５、操作部５６、無線ＬＡＮ通信部５７、近距離通信部５８などが接続されており、入出力プログラムにしたがって主制御部５１はそれらの動作を制御する。広域通信部５４は、ブロードバンドのインターネットに接続（例えば、光通信接続）され、リスト管理装置２との間でデータの送受信を行う。無線ＬＡＮ通信部５７は、無線ＬＡＮ６を介して携帯端末通信装置１との間でデータ通信を行う。近距離通信部５８は、赤外線通信やBluetooth（登録商標）通信などの近距離通信方式にしたがって携帯端末通信装置１との間でデータ通信を行う。
【００３３】
次に、本実施形態における携帯端末通信装置１、リスト管理装置２、ショップ端末装置５の動作概念を図５〜図７に示すフローチャートを参照して説明する。ここで、このフローチャートに記述されている各機能は、読み取り可能なプログラムコードの形態で格納されており、このプログラムコードにしたがった動作が逐次実行される。図５は、ＵＳＩＭロックの解除開始を指示する操作が行われた際に実行開始される携帯端末通信装置１の動作（ＵＳＩＭロック解除処理）を示したフローチャートであり、この図５のフローから抜けた際には、全体動作のメインフロー（図示省略）に戻る。
【００３４】
通信事業者側のショップにおいてその店員は、ユーザからＵＳＩＭロック解除サービスの利用が依頼された際に、ＵＳＩＭロックの解除開始を指示する操作を行う。これによって図５のフローが開始される。先ず、中央制御部１１は、ＵＳＩＭロック解除用の入力画面をタッチ入力表示部１６上に表示（図５のステップＡ１）させた後、このロック解除用入力画面内容の入力欄にＵＳＩＭロック解除コードが入力されるまで待機状態となる（ステップＡ２）。この場合、ショップ側においては、端末メーカから提供されている解除コードリストＲＣＬを参照して、その携帯端末通信装置１のＵＳＩＭロック解除コードを入力する。
【００３５】
いま、ＵＳＩＭロック解除コードが入力されると（ステップＡ２でＹＥＳ）、ＵＳＩＭロック解除コード記憶部Ｍ３に登録されているＵＳＩＭロック解除コードを読み出し（ステップＡ３）、入力コードと登録コードを比較して両者は一致するか、つまり、入力された解除コードは、ＵＳＩＭロック解除コード記憶部Ｍ３に登録されている正規なコードであるかを調べる（ステップＡ４）。ここで、正規なコードであれば（ステップＡ４でＹＥＳ）、ＵＳＩＭロック解除（ステップＡ５）を行った後、図５のフローから抜ける。
【００３６】
一方、入力コードが正規なコードでなければ（ステップＡ４でＮＯ）、解除コードが誤入力されたものと判断して、誤入力回数を計数するための累計カウンタ（図示省略）に初期値“１”を加算してその値を更新する（ステップＡ６）。そして、誤入力許容回数設定値記憶部Ｍ４に記憶されている設定値を読み出し（ステップＡ７）、累計カウンタの計数値と設定値とを比較し、この計数値は設定値を超過したかを調べる（ステップＡ８）。ここで、誤入力許容回数設定値を超過していなければ（ステップＡ８でＮＯ）、解除コードの再入力を可能とするために上述のステップＡ２に戻り、以下、解除コードが入力される毎に上述の動作を繰り返す。
【００３７】
このようにして解除コードを繰り返し入力した結果、誤入力許容回数設定値を超過したときには（ステップＡ８でＹＥＳ）、ＵＳＩＭロック解除コード記憶部Ｍ３の内容とは異なる新たな解除コードを生成する（ステップＡ９）。この場合、ランダム生成などのような独自の方法で、新たなＵＳＩＭロック解除コードを生成する。そして、今回生成した新たな解除コードをＵＳＩＭロック解除コード記憶部Ｍ３に上書き保存することで解除コードを変更（ステップＡ１０）すると共に、無線ＬＡＮ通信部１８、近距離通信部１９の中から現在の環境に応じて接続可能な通信部を選択する（ステップＡ１１）。
【００３８】
そして、自己の移動機識別番号と新たなＵＳＩＭロック解除コードを含む解除コード変更通知をリスト管理装置２を宛先として、選択した通信部（無線ＬＡＮ通信部１８又は近距離通信部１９）からショップ端末装置５を経由して送信する（ステップＡ１２）。その後、選択した通信部（無線ＬＡＮ通信部１８又は近距離通信部１９）の動作を停止（ステップＡ１３）させると共に、上述の累計カウンタ（図示省略）の内容をリセットしてその計測動作を停止（ステップＡ１４）させた後、図５のフローから抜ける。
【００３９】
図６は、ショップ端末装置５の特徴的な動作を示したフローチャートである。
先ず、ショップ端末装置５は、無線ＬＡＮ通信部１８からの受信が有るかを調べたり（ステップＢ１）、近距離通信部１９からの受信が有るかを調べたり（ステップＢ２）、何らかの操作が行われたかを調べたりする（ステップＢ３）。何らかの操作が行われたときには（ステップＢ３でＹＥＳ）、操作に応じた処理（ステップＢ４）を実行した後、ステップＢ１に戻る。無線ＬＡＮ通信部１８からの受信を検出したり（ステップＢ１でＹＥＳ）、近距離通信部１９からの受信を検出したりした場合に（ステップＢ２でＹＥＳ）、リスト管理装置２宛ての解除コード変更通知を受信したかを調べる（ステップＢ５）。
【００４０】
ショップ端末装置５は、無線ＬＡＮ通信部１８あるいは近距離通信部１９からの受信内容がリスト管理装置２宛ての解除コード変更通知でなければ（ステップＢ５でＮＯ）、その受信内容に応じた処理（ステップＢ６）に移る。また、リスト管理装置２宛ての解除コード変更通知を受信したときには（ステップＢ５でＹＥＳ）、この変更通知をリスト管理装置２に対して転送して解除コードリストＲＣＬの内容を更新すべきことを指示する（ステップＢ７）。
【００４１】
図７は、リスト管理装置２の特徴的な動作を示したフローチャートである。
先ず、リスト管理装置２は、ショップ端末装置５から解除コードの変更通知を受信したかを調べたり（ステップＣ１）、ショップ端末装置５からリスト送信要求を受信したかを調べたりする（ステップＣ２）。その結果、何れも受信しなければ（ステップＣ２でＮＯ）、その他の処理（ステップＣ３）を行った後、ステップＣ１に戻る。
【００４２】
ショップ端末装置５から解除コード変更通知を受信したときには（ステップＣ１でＹＥＳ）、この変更通知に含まれている移動機識別番号と新たな解除コードを受信する（ステップＣ５）。そして、受信した移動機識別番号に基づいて解除コードリストＲＣＬを検索し、それに該当する解除コードに受信した新たな解除コードに更新する処理を行う（ステップＣ６）。そして、更新後の解除コードリストＲＣＬの内容をショップ端末装置５に送信（ステップＣ４）した後、ステップＣ１に戻る。
【００４３】
リスト管理装置２は、リスト管理装置２から更新後の解除コードリストＲＣＬの内容を受信すると（図６のステップＢ８）、この更新後の解除コードリストＲＣＬの内容を表示する（ステップＢ９）。ここで、ショップ側の店員は、そのリスト内容を参照して変更後の新たな解除コードを目視確認して、携帯端末通信装置１の入力画面に新たな解除コードを入力する操作（ＵＳＩＭロックの解除操作）を継続する。
【００４４】
以上のように、本実施形態において携帯端末通信装置１は、入力された解除データとＵＳＩＭロック解除コード記憶部Ｍ３に登録されている正規な解除コードとの不一致を検出する毎にその不一致回数を誤入力回数として計数し、その誤入力回数が誤入力許容回数設定値記憶部Ｍ４内の設定値に達する前に、正規な解除データが入力されたときには、ＵＳＩＭロックを解除するが、その設定値に達したときには、新たに生成した解除データに変更すると共に、リスト管理装置２を宛先として、解除データを更新すべきことを通知するようにしたので、誤入力許容回数を低く設定して総当り試行によるＵＳＩＭロックの不正解除の防止を図ったとしても、正規な解除のときには変更後の新たな解除コードを使用してロック解除操作をそのまま継続することができ、不正なロック解除に対しては、それを厳重に防止し、正規な手続きによる解除に対しては、通信不能などの規制を緩和し、不正な解除と正規な解除の両方を考慮した対策を実現することが可能となり、実用性に富んだものとなる。
【００４５】
携帯端末通信装置１は、広域通信手段（公衆通信手段）としての無線通信部１４とは異なる通信手段であって、ショップ端末装置５に通信接続が可能な他の通信手段として無線ＬＡＮ通信部１８や近距離通信部１９を備え、解除コード変更通知をリスト管理装置２を宛先として、無線ＬＡＮ通信部１８又は近距離通信部１９からショップ端末装置５を経由して送信するようにしたので、無線通信部１４が使用不可の場合でも解除コード変更通知をリスト管理装置２に送信して解除コードリストＲＣＬの内容を更新させることができ、ショップ端末装置５側でも変更後の新たな解除コードをリスト管理装置２から直ちに入手することができ、ロック解除操作の継続が可能となる。
【００４６】
携帯端末通信装置１は、誤入力許容回数設定値を任意に設定可能としたので、不正な解除と正規な解除の両方を考慮した値に変更することができる。
【００４７】
携帯端末通信装置１とリスト管理装置２を備えた端末通信システムであって、携帯端末通信装置１は、入力された解除データと登録されている正規な解除コードとの不一致を検出する毎にその不一致回数を誤入力回数として計数し、その誤入力回数が誤入力許容回数設定値記憶部Ｍ４内の設定値に達する前に、正規な解除データが入力されたときには、ＵＳＩＭロックを解除するが、その設定値に達したときには、新たに生成した解除データに変更すると共に、リスト管理装置２を宛先として、解除データを更新すべきことを通知し、リスト管理装置２は、解除データ変更通知に応答して、変更前の解除データを変更後の解除データに更新して更新後の解除データを返信するようにしたので、不正なロック解除に対しては、それを厳重に防止し、正規な手続きによる解除に対しては、通信不能などの規制を緩和し、不正な解除と正規な解除の両方を考慮した対策を実現することが可能となり、実用性に富んだものとなる。
【００４８】
携帯端末通信装置１は、リスト管理装置２を宛先として解除コード変更通知を無線ＬＡＮ通信部１８又は近距離通信部１９からショップ端末装置５を経由して送信し、リスト管理装置２は、解除データ変更通知を、ショップ端末装置５を経由して受信した場合に、その通知内容に応じて解除コードリストＲＣＬの更新を行い、その更新後の解除データをショップ端末装置５に返信するようにしたので、携帯端末通信装置１とリスト管理装置２との通信が不可の場合でもロック解除操作の継続が可能となる。
【００４９】
なお、上述した実施形態においては、リスト管理装置２を宛先として解除コード変更通知を無線ＬＡＮ通信部１８又は近距離通信部１９からショップ端末装置５を経由して送信するようにしたが、無線ＬＡＮ通信部１８又は近距離通信部１９を経由する場合に限らない。また、携帯端末通信装置１は、その広域通信手段が接続可能となった場合にリスト管理装置２に接続して解除コード変更通知を送信するようにしてもよい。
【００５０】
また、ＵＳＩＭロック解除コードは、１６桁構成に限らず、その桁数は任意であるほか、解除コードに限らず、文字列、記号などを含む構成など、任意の解除データであってもよい。
【００５１】
上述した実施形態においては、ユーザからＵＳＩＭロック解除サービスの利用が依頼された際に、ＵＳＩＭロックの解除開始を指示する操作に応答してＵＳＩＭロック解除用の入力画面を表示するようにしたが、その入力画面の表示タイミングは、これに限らず、例えば、他の通信事業者のＵＳＩＭの装着を契機として表示するようにしてもよい。
【００５２】
上述した実施形態においては、携帯端末通信装置として携帯電話機に適用した場合を示したが、通信機能付きのＰＤＡ（個人向け携帯型情報通信機器）・音楽プレイヤー、カメラ装置などであってもよい。
【００５３】
その他、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００５４】
上記の実施形態の一部又は全部は、以下の付記のように記載され得るが、これに限定されるものではない。以下、本発明の諸態様を付記としてまとめて記載する。
【００５５】
（付記１）
図８は、付記１の構成図（機能ブロック図）である。この図に示すように、付記１記載の発明は、
加入者識別モジュールを基に接続可能な通信網を制限するロック機能を備えた携帯端末通信装置であって、
前記ロック機能のロックを解除するために入力された解除データと、予め登録されている正規な解除データとの不一致を検出する毎にその不一致回数を誤入力回数として計数する計数手段１０１（図２では中央制御部１１、記憶部１３）と、
前記誤入力回数が誤入力許容回数設定値に達する前に、前記正規な解除データが入力されたことを条件に前記ロック機能のロックを解除する解除手段１０２（図２では中央制御部１１、記憶部１３、タッチ入力表示部１６）と、
前記誤入力回数が誤入力許容回数設定値に達した場合に、前記ロック機能のロックを継続したままの状態において新たな解除データを生成して、前記登録されている正規な解除データを前記新たな解除データに変更する変更手段１０３（図２では中央制御部１１、記憶部１３）と、
前記変更手段１０３により解除データが変更された場合に、携帯端末通信装置毎にそのロック機能のロックを解除する解除データを記憶管理する通信事業者側の管理装置（図１ではリスト管理装置２）を宛先として、当該変更前の解除データを変更後の解除データに更新すべきことを通知する通知手段１０４（図２では中央制御部１１、記憶部１３、無線ＬＡＮ通信部１８、近距離通信部１９）と、
を備えたことを特徴とする携帯端末通信装置。
【００５６】
（付記２）
前記通信網を使用する通信手段とは異なる通信手段であって、当該携帯端末通信装置の通信事業者の店舗側端末装置に通信接続が可能な他の通信手段を更に備え、
前記通知手段は、前記変更手段により解除データが変更された場合に、前記他の通信手段を使用して前記店舗側端末装置に通信接続することで該店舗側端末装置を経由して前記通信事業者の管理装置に当該変更前の解除データを変更後の解除データに更新すべきことを通知する、
ようにしたことを特徴とする請求項１に記載の携帯端末通信装置。
【００５７】
（付記３）
前記所定の誤入力許容回数設定値を任意に設定する設定手段を更に備える、
ようにしたことを特徴とする請求項１あるいは請求項２に記載の携帯端末通信装置。
【００５８】
（付記４）
加入者識別モジュールを基に接続可能な通信網を制限するロック機能のロックを解除するために入力された解除データと、予め登録されている正規な解除データとの不一致を検出する毎にその不一致回数を誤入力回数として計数する計数ステップと、
前記誤入力回数が誤入力許容回数設定値に達する前に、前記正規な解除データが入力されたことを条件に前記ロック機能のロックを解除する解除ステップと、
前記誤入力回数が誤入力許容回数設定値に達した場合に、前記ロック機能のロックを継続したままの状態において新たな解除データを生成して、前記登録されている正規な解除データを前記新たな解除データに変更する変更ステップと、
前記解除データが変更された場合に、携帯端末通信装置毎にそのロック機能のロックを解除する解除データを記憶管理する通信事業者側の管理装置を宛先として、当該変更前の解除データを変更後の解除データに更新すべきことを通知する通知ステップと、
を含むことを特徴とする端末通信方法。
【００５９】
（付記５）
コンピュータに対して、
加入者識別モジュールを基に接続可能な通信網を制限するロック機能のロックを解除するために入力された解除データと、予め登録されている正規な解除データとの不一致を検出する毎にその不一致回数を誤入力回数として計数する計数機能と、
前記誤入力回数が誤入力許容回数設定値に達する前に、前記正規な解除データが入力されたことを条件に前記ロック機能のロックロック機能のロックを解除する解除機能と、
前記誤入力回数が誤入力許容回数設定値に達した場合に、前記ロック機能のロックを継続したままの状態において新たな解除データを生成して、前記登録されている正規な解除データを前記新たな解除データに変更する変更機能と、
前記解除データが変更された場合に、携帯端末通信装置毎にそのロック機能のロックを解除する解除データを記憶管理する通信事業者側の管理装置を宛先として、当該変更前の解除データを変更後の解除データに更新すべきことを通知する通知機能と、
を実現させるためのプログラム。
【００６０】
（付記６）
加入者識別モジュールを基に接続可能な通信網を制限するロック機能を備えた携帯端末通信装置と、前記携帯端末通信装置毎にそのロック機能のロックを解除するための解除データを記憶管理する通信事業者側の管理装置を備えた端末通信システムであって、
前記携帯端末通信装置は、
前記ロック機能のロックを解除するために入力された解除データと、予め登録されている正規な解除データとの不一致を検出する毎にその不一致回数を誤入力回数として計数する計数手段と、
前記誤入力回数が誤入力許容回数設定値に達する前に、前記正規な解除データが入力されたことを条件に前記ロック機能のロックを解除する解除手段と、
前記誤入力回数が誤入力許容回数設定値に達した場合に、前記ロック機能のロックを継続したままの状態において新たな解除データを生成して、前記登録されている正規な解除データを前記新たな解除データに変更する変更手段と、
前記変更手段により解除データが変更された場合に、携帯端末通信装置毎にそのロック機能のロックを解除する解除データを記憶管理する前記管理装置を宛先として、当該変更前の解除データを変更後の解除データに更新すべきことを通知する通知手段と、
を備え、
前記管理装置は、
前記通知手段による解除データ変更通知に応答して、前記変更前の解除データを変更後の解除データに更新する更新手段と、
前記更新手段により更新した更新後の解除データを返信する返信手段と、
を備える、
ようにしたことを特徴とする端末通信システム。
【００６１】
（付記７）
前記携帯端末通信装置は、
前記通信網を使用する通信手段とは異なる通信手段であって、当該携帯端末通信装置の通信事業者の店舗側端末装置に通信接続が可能な他の通信手段を更に備え、
前記通知手段は、前記変更手段により解除データが変更された場合に、前記他の通信手段を使用して前記店舗側端末装置に通信接続することで該店舗側端末装置を経由して前記通信事業者の管理装置に当該変更前の解除データを変更後の解除データに更新すべきことを通知し、
前記管理装置は、
前記携帯端末通信装置からその解除データ変更通知を、前記店舗側端末装置を経由して受信した場合に、前記更新手段は、その通知内容に応じて該当する解除データの更新を行い、
前記返信手段は、前記更新後の解除データを前記店舗側端末装置に対して返信する、
ようにしたことを特徴とする請求項６に記載の端末通信システム。
【００６２】
（付記８）
前記携帯端末通信装置は、
前記所定の誤入力許容回数設定値を任意に設定する設定手段を更に備える、
ようにしたことを特徴とする請求項６あるいは請求項７に記載の端末通信システム。
【符号の説明】
【００６３】
１  携帯端末通信装置
２  リスト管理装置
３  無線通信網
４  インターネット
５  ショップ端末装置
６  無線ＬＡＮ
１１、２１  中央制御部
１３、２３  記憶部
１４、２４  無線通信部
１６  タッチ入力表示部
１８、５７  無線ＬＡＮ通信部
１９、５８  近距離通信部
ＲＣＬ  解除コードリスト
Ｍ１  プログラム記憶部
Ｍ２  各種情報一時記憶部
Ｍ３  ＵＳＩＭロック解除コード記憶部
Ｍ４  誤入力許容回数設定値記憶部
【図１】
2013162408.tif 000003
【図２】
2013162408.tif 000004
【図３】
2013162408.tif 000005
【図４】
2013162408.tif 000006
【図５】
2013162408.tif 000007
【図６】
2013162408.tif 000008
【図７】
2013162408.tif 000009
【図８】
2013162408.tif 000010